(57)【要約】【課題】従来構成よりも組み立て易い照明器具を提供することを目的とする。【解決手段】発光源１を備えた発光装置が筐体４に収納され、筐体４の前面側には板状であって発光源１からの光を導入する導光板２５が配設される。導光板２５は、発光源１からの光を厚み方向の一面である出射面３０から出射するように導光する。筐体４との間に導光板２５を挟持する形で筐体４に取り付けられるとともに出射面３０を露出させる開口部が形成された保持枠３８が設けられ、保持枠３８の開口部内には出射面３０からの光を透過させるとともに配光を制御する透光板３９が配設される。保持枠３８と透光板３９とは合成樹脂製であって一体成形されている。【選択図】図１
2006228624.tif 000002
【特許請求の範囲】
【請求項１】
施工面に取り付けられる筐体と、給電されることにより発光する発光源を有し筐体内に収納される発光装置と、板状であって厚み方向の一面を筐体に対向させて配置され当該一面に隣接する１つの周面から発光源の光を導入するとともに、厚み方向の他面を光が出射される出射面とする導光板と、合成樹脂製であって筐体との間に導光板を挟持する形で筐体に取り付けられるとともに導光板の出射面を露出させる開口部が形成された保持枠と、合成樹脂製であって保持枠の開口部内において導光板の出射面を覆う形で配置され導光板の出射面から出射する光を透過させるとともに配光を制御する配光手段を有した透光板とを備え、保持枠と透光板とは一体成形されていることを特徴とする照明器具。
【請求項２】
前記保持枠と前記透光板とは２色成形されていることを特徴とする請求項１記載の照明器具。
【請求項３】
前記発光源は、発光色が異なる複数種類の発光ダイオードのベアチップが互いに近接配置されて成り、前記発光装置は、各種類のベアチップに流す電流をそれぞれ調節可能な点灯回路と、各種類のベアチップに流す電流の比を変化させることにより前記出射面から出射される光の色を変化させる調色回路と、操作に従って前記電流の比を指示する操作部とを有することを特徴とする請求項１または請求項２記載の照明器具。
【請求項４】
人体から放射される熱線を検出する熱線センサと周囲照度を検出する照度センサとの少なくとも一方からなるセンサ部を有した自動スイッチを備え、自動スイッチは、センサ部の検出結果に応じて前記発光装置への給電を入切することを特徴とする請求項１ないし請求項３のいずれか１項に記載の照明器具。
【請求項５】
前記自動スイッチは、前記発光装置とは別の筐体に収納されるとともに発光装置への給電経路に挿入される形に接続され、自動スイッチが収納された筐体と発光装置が収納された前記筐体とは、それぞれ埋込型の配線器具の３個用の取付枠に３個取付可能な寸法に形成されていることを特徴とする請求項４記載の照明器具。
【請求項６】
コンセントに差込可能な給電用の栓刃が前記筐体に設けられていることを特徴とする請求項１ないし請求項４のいずれか１項に記載の照明器具。
【発明の詳細な説明】
【技術分野】
【０００１】
本発明は、壁面の下部に取り付けられて床面の一部を照射する足元灯として用いられる照明器具に関するものである。
【背景技術】
【０００２】
従来から、発光ダイオードを発光源として床面の一部を照射する足元灯が提供されている（たとえば特許文献１参照）。この種の足元灯には、板状であって発光源からの光を導光する導光板を備えたものがある。導光板は、発光源からの光を厚み方向の一面（以下では「出射面」という）に隣接する１つの周面から導入し、出射面から出射するように導光する。この導光板には、床面に向けて配光を制御する機能も備わっている。
【０００３】
発光源が収納された筐体に導光板を取り付ける構成としては、図２７に示すように、合成樹脂製であって筐体４との間に導光板２５を挟持する形で筐体４に取り付けられる保持枠３８を用いるものがあり、この構成では保持枠３８には導光板２５の出射面３０を露出させる開口部６２が形成されている（たとえば特許文献２参照）。
【０００４】
この種の照明器具では、出射される光の拡散性を高めて発光面における輝度むらをなくすために、図示するように、出射面３０からの光を透過させるとともに配光を制御する所謂プリズムシートからなる透光板３９が、出射面３０を覆う形で保持枠３８の開口部６２内に設けられることもある。つまり、保持枠３８と筐体４との間に導光板２５と透光板３９とが挟持されることになる。透光板３９には透明度の高いアクリル樹脂が一般に用いられている。
【特許文献１】特開２００２−３７３５０６号公報
【特許文献２】特開２００１−１５５５２６号公報（第３頁）
【発明の開示】
【発明が解決しようとする課題】
【０００５】
しかし、上述した照明器具においては、保持枠３８と透光板３９とが別体であるから、照明器具を組み立てる際に、導光板２５と透光板３９と保持枠３８との３個の部品についてそれぞれ位置および向きを合わせる必要があり、照明器具の組立に手間が掛かる。また、透光板３９は導光板２５に比べて薄く扱い難いから、組立時に割れたり傷が付いたりすることがある。
【０００６】
本発明は上記事由に鑑みて為されたものであって、従来構成よりも組み立て易い照明器具を提供することを目的とする。
【課題を解決するための手段】
【０００７】
請求項１の発明は、施工面に取り付けられる筐体と、給電されることにより発光する発光源を有し筐体内に収納される発光装置と、板状であって厚み方向の一面を筐体に対向させて配置され当該一面に隣接する１つの周面から発光源の光を導入するとともに、厚み方向の他面を光が出射される出射面とする導光板と、合成樹脂製であって筐体との間に導光板を挟持する形で筐体に取り付けられるとともに導光板の出射面を露出させる開口部が形成された保持枠と、合成樹脂製であって保持枠の開口部内において導光板の出射面を覆う形で配置され導光板の出射面から出射する光を透過させるとともに配光を制御する配光手段を有した透光板とを備え、保持枠と透光板とが一体成形されていることを特徴とする。
【０００８】
この構成によれば、透光板を一体化した保持枠と導光板とを組み合わせて筐体に取り付けるだけで、同時に透光板も取り付けられることになるので、保持枠と透光板とが別体である従来構成に比べて組立が簡単になり、かつ照明器具の組立時に透光板が割れたり透光板に傷が付いたりすることもなくなる。結果的に、従来構成よりも組み立てやすい照明器具を提供することができる。
【０００９】
請求項２の発明は、請求項１の発明において、前記保持枠と前記透光板とが２色成形されていることを特徴とする。
【００１０】
この構成によれば、保持枠と透光板とを一体に成形しながらも、それぞれの性能を満足する材料を用いることができる。
【００１１】
請求項３の発明では、請求項１または請求項２の発明において、前記発光源は、発光色が異なる複数種類の発光ダイオードのベアチップが互いに近接配置されて成り、前記発光装置は、各種類のベアチップに流す電流をそれぞれ調節可能な点灯回路と、各種類のベアチップに流す電流の比を変化させることにより前記出射面から出射される光の色を変化させる調色回路と、操作に従って前記電流の比を指示する操作部とを有することを特徴とする。
【００１２】
この構成によれば、操作部の操作に従って発光源の発光色が変化するので、出射面から出射される光の色を容易に変更することができる。
【００１３】
請求項４の発明は、請求項１ないし請求項３のいずれかの発明において、人体から放射される熱線を検出する熱線センサと周囲照度を検出する照度センサとの少なくとも一方からなるセンサ部を有した自動スイッチを備え、自動スイッチは、センサ部の検出結果に応じて前記発光装置への給電を入切することを特徴とする。
【００１４】
この構成によれば、周囲に人が存在するとき、および周囲が暗くなったときの少なくとも一方において自動で点灯させることができるので、照明が必要なときにだけ照明器具を点灯させることができる。
【００１５】
請求項５の発明は、請求項４の発明において、前記自動スイッチが、前記発光装置とは別の筐体に収納されるとともに発光装置への給電経路に挿入される形に接続され、自動スイッチが収納された筐体と発光装置が収納された前記筐体とが、それぞれ埋込型の配線器具の３個用の取付枠に３個取付可能な寸法に形成されていることを特徴とする。
【００１６】
この構成によれば、埋込型の配線器具の取付枠に照明器具を取り付けることができるので、新たな取付部材を必要とせず照明器具を取り付けることができる。また、自動スイッチが収納された筐体と発光装置が収納された筐体との位置を入れ替えて取り付けることができるので、センサ部の検知領域や出射面からの光の照射領域を容易に変更することができる。さらに、両筐体をコンセントなどの他の配線器具と一緒に取付枠に取り付けることも可能であるから、他の配線器具が既に設けられた取付枠に照明器具を取り付けても、既存の配線器具をそのまま使用することができる。
【００１７】
請求項６の発明は、請求項１ないし請求項４のいずれかの発明において、コンセントに差込可能な給電用の栓刃が前記筐体に設けられていることを特徴とする。
【００１８】
この構成によれば、コンセントが設けられている場所であれば場所を選ばずに照明器具を取り付けることができる。
【発明の効果】
【００１９】
本発明は、透光板を一体化した保持枠と導光板とを組み合わせて筐体に取り付けるだけで、同時に透光板も取り付けられることになるので、保持枠と透光板とが別体である従来構成に比べて組立が簡単になり、かつ照明器具の組立時に透光板が割れたり透光板に傷が付いたりすることもなくなる。結果的に、従来構成よりも組み立てやすい照明器具を提供することができる。
【発明を実施するための最良の形態】
【００２０】
以下では、従来構成において示したように発光ダイオードを発光源として床面の一部を照射する足元灯を照明器具の例として、本発明を実施するための最良の形態を説明する。
【００２１】
（実施形態１）
本実施形態の足元灯は、図１に示すように、発光源１を備えた発光装置と、センサ部２を備え発光装置への給電を自動で入切する自動スイッチと、給電用の端子部３とが筐体４に収納された構成を有する。自動スイッチのセンサ部２としては、熱線の変化を検出する熱線センサ（人検知センサ）と周囲照度を検出する照度センサ（明るさセンサ）との少なくとも一方を採用しており、自動スイッチはセンサ部２の検出結果に応じて発光装置への給電を入切する。図１に示すものは人検知センサを有し、周囲に人が存在するときに発光源１を点灯させる足元灯であって、明るさセンサを有した足元灯については後述する。ただし、以下では特に明記しないが、本発明は、自動スイッチの構成に関係なく、つまりセンサ部２が人検知センサであっても明るさセンサであっても採用することができる。足元灯は、図１の上方を前方として壁面（施工面）の下部に取り付けられて使用されるものであって、以下では、壁面に取り付けられた状態の筐体４を正面から見た上下左右を上下左右として説明する。
【００２２】
筐体４は、後述するように配線器具の取付枠に取り付けるための保持爪が一体に形成されたカバー５と、前面が開口した箱状であってカバー５に後方から組み合わされるボディ６とで構成されている。カバー５の左右両端部には、それぞれ後方に突出する組立片７が２個ずつ設けられている。組立片７に貫設された組立孔８に対してボディ６の左右両側面に形成された組立突起９を嵌めこむことにより、ボディ６がカバー５に組み合わされる。
【００２３】
カバー５とボティ６とに囲まれた空間には基板１０が収納される。基板１０は、壁面に沿って配置され、基板１０の前面には、左右方向に延長された基台１１が実装される。基台１１の下面には、発光源として複数個の発光ダイオードのベアチップ１２，１３（図２（ｂ）参照）が設けられている。ここでは、２個１組のベアチップ１２，１３が互いに近接配置され、３組のベアチップ１２，１３すなわち合計６個のベアチップ１２，１３が設けられる。カバー５における基台１１の前方には前方に凸となる発光源収納室１４が形成されており、カバー５とボディとが組み合わされた状態では、基台１１は発光源収納室１４内に収まる。発光源収納室１４の下面には左右方向に長い出射孔１５が貫設されており、発光源１からの光はこの出射孔１５を通って筐体４の外に出射されることになる。ただし、発光源１は、カバー５の前面に沿って下方に光を出射する構成であれば、砲弾型レンズを有した発光ダイオードなどを用いてもよい。
【００２４】
ここにおいて、発光源収納室１４内には、発光源１を精度良く位置決めするように基台１１を位置固定する発光源固定手段が設けられる。発光源固定手段は、図２に示すように、発光源収納室１４の左右両端部に設けられた一対の横固定片１６と、両横固定片１６の間において左右方向に並設された３個の縦固定片１７とで構成されている。両横固定片１６の間隔は基台１１の左右方向の寸法と同等に設定されており、基台１１は、カバー５とボディ６とを組み合わせることによって一対の横固定片間１６に挿入され、両横固定片１６に挟持される形で左右方向に位置固定される。また、各縦固定片１７にはそれぞれ上下方向に並ぶ一対の固定突起１８が設けられており、基台１１の前端部は、図３に示すように、カバー５とをボディ６とを組み合わせることによって各組の固定突起１８の間に挿入され、各組の固定突起１８に挟持される形で上下方向に位置固定される。このように、カバー５に対して基台１１が位置固定されているので、落下などにより基板１０に外力が作用したとしても、発光源１の位置がずれて発光源１からの光の見え方が変わることはない。
【００２５】
基板１０における基台１１の上方には、図１に示すように、センサ部２（ここでは人検知センサ）が実装される。ここで、カバー５における発光源収納室１４の上方には、センサ部２を前方に臨ませるセンサ窓２０が開口している。センサ部２とカバー５との間には、センサ用レンズ２１が介在する。さらに、センサ部２に前方から被せられるミラー１９が設けられており、センサ用レンズ２１を通して入射した熱線がセンサ部２に届く範囲をミラー１９を用いて設定することによって、センサ部２の検知領域を決めている。基板１０における基台１１の下方には、端子部３を構成する一対の端子板２２が背面側から設けられる。各端子板２２は、それぞれ２個の鎖錠ばね２３および解除釦２４とともに周知の速結端子を構成しており、ボディ６の背面に設けた電線挿通孔（図示せず）から挿入された電線と電気的に接続される。端子部３は、センサ部２を含む自動スイッチ、および発光源１を含む発光装置に対して基板１０に設けた配線パターン（図示せず）を介して接続されており、外部からの給電を可能にしている。
【００２６】
ところで、カバー５の前面側において発光源収納室１４の下方には、矩形板状の導光板２５が配置される。カバー５における導光板２５の左右両側方には、上下方向に延長された側壁２６がそれぞれ形成されており、導光板２５は両側壁２６の間に位置することになる。筐体４において導光板２５の背面と対向する部位は、足元灯を構成する拡散反射板２７として機能する。つまり、本実施形態では拡散反射板２７と筐体４とを一体化しており、筐体４とは別体の拡散反射板を導光板２５と筐体４との間に挟む構成を採用する構成に比べて、足元灯の部品点数が低減し、足元灯の組立に要する時間も低減するので、製造コストを低減することができる。さらに、導光板２５の前方には、導光板２５を覆う形でプリズムカバー２８が配置される。このプリズムカバー２８は、筐体４に対して取り付けらるものであって詳しくは後述する。
【００２７】
導光板２５は、上端面に発光源１からの光が入射される入射面２９（図４参照）を有し、前面に出射面３０を有する。入射面２９と出射面３０とは互いに直交して形成され、導光板２５の厚み方向の両面は互いに平行に形成される。導光板２５は、透明な合成樹脂であるアクリル樹脂から形成されており、入射面２９に導入した光を下方に向かって導光することにより出射面３０の全面から光を出射するものである。本実施形態では、出射面３０から漏光して出射する光が床面に向かうように発光源１からの光の配光を制御する配光手段（図示せず）を導光板３０に備えている。
【００２８】
また、導光板２５内を下方に向かって導光される光が導光板２５の後方に出射されることもあるが、その場合には拡散反射板２７によって拡散反射され再び導光板２５内に導入される。つまり、導光板２５の背面側から漏光する光も再び導光板２５内に戻して出射面３０から出射させることができるので光の利用効率が高い。
【００２９】
さらに、導光板２５内を下方に向かって導光される光が導光板２５の下面で反射して出射面３０から斜め上方に出射されると、足元灯を斜め上方から見たときに発光源１からの光が直接見えて面発光を実現できないことがあるので、本実施形態の導光板２５は、図４に示すように、出射面３０に直交する入射面２９に対して下面が後方ほど離れるように角度θだけ傾斜した構成とし、下面で反射する光を後方に向けることにより上述したように発光源１からの光が直接見えることを防止し、足元灯の発光面の見映えを良くしている。また、出射面３０から斜め上方に出射する光が人の目に直接入るとグレアを生じることもあるので、発光源１からの光が直接見えることを防止するという作用は、グレアの発生を防止するという効果にもつながる。
【００３０】
上述した足元灯を壁面に取り付けるには、図５に示すように、従来から提供されている埋込型の配線器具の取付枠３１に対して筐体４を取り付ける。筐体４におけるカバー５の左右両端部には取付枠３１の保持孔３２に係合する保持爪３３が設けられており、保持爪３３を保持孔３２に係合させることにより筐体４が取付枠３１に取り付けられる。本実施形態の筐体４は、１個モジュール寸法の配線器具を上下方向に２個並べた大きさに形成されており、１個モジュール寸法の配線器具が３個まで取付可能な取付枠３１に対して、他の１個モジュール寸法の配線器具（図５ではコンセント３４）と一緒に取り付けることができる。したがって、他の配線器具（コンセント３４）が既に設けられた取付枠３１に足元灯を取り付けても、既存の配線器具（コンセント３４）をそのまま使用することができる。
【００３１】
一方、明るさセンサを有した足元灯は、図６に示すように、自動スイッチの構成およびカバー５の形状が上述した人検知センサを有する足元灯と異なるだけであって、その他の構成および機能は上述した足元灯と同様である。図６の足元灯では、センサ部２（ここでは明るさセンサ）の左方にスライドスイッチからなる切換スイッチ３５が設けられ、かつ基板１０が筐体４内に収納された状態で切換スイッチ３５を操作できるように、切換スイッチ３５に前方からハンドル３６が取着されるとともにカバー５におけるセンサ窓２０の左方にハンドル３６を露出させるハンドル窓３７が開口している。この足元灯の組立後の斜視図を図７に示す。切換スイッチは３５、周囲が暗くなったときに発光源１を自動で点灯させる自動点灯状態と、周囲照度に関係なく発光源１を消灯し続ける消灯状態との２状態を切り換えるものである。
【００３２】
ところで、本実施形態の足元灯は、上述したプリズムカバー２８に特徴を有するものであって、以下ではこのプリズムカバー２８について詳述する。
【００３３】
プリズムカバー２８は、図１（ｂ）に示すように、従来構成において説明した保持枠３８と透光板３９とを一体成形したものである。本実施形態においても、保持枠３８は従来構成と同様に筐体４との間に導光板２５を挟持するものであって、透光板３９は従来構成と同様に所謂プリズムシートであって導光板２５の出射面３０からの光を透過させるとともに配光を制御するものである。ただし、本実施形態では、保持枠３８と透光板３９とが一体化されているので、従来構成のように、透光板３９が保持枠３８と筐体４との間に導光板２５とともに挟持される構成ではない。
【００３４】
このように、保持枠３８と透光板３９とを一体成形することによって、足元灯を組み立てる際に、導光板２５とプリズムカバー２８（保持枠３８と透光板３９との一体成形品）との２個の部品についてそれぞれ位置および向きを合わせれば良く、保持枠３８と透光板３９とが別体である従来構成に比べて足元灯の組立が簡単になる。また、透光板３９は保持枠３８と一体化されることにより従来構成よりも扱い易くなり、アクリル樹脂などの割れ易い材質としても組立時に割れたり傷が付いたりすることがないという利点がある。しかも、保持枠３８と透光板３９とが重なることはないから、保持枠３８としての強度を確保しながらも、保持枠３８と透光板３９とを合わせた厚み寸法を比較的小さくすることができる。
【００３５】
本実施形態の透光板３９は透過性を有したアクリル樹脂から形成されており、導光板２５から出射された光は透光板３９の背面から透光板３９内に導入され、透光板３９を透過して透光板３９の前面から出射されることになる。透光板３９における導光板２５との対向面（つまり背面）には、図１（ｃ）に示すように、配光手段として導光板２５から出射された光を左右方向に拡散させる拡散溝４０が設けられている。拡散溝４０は、透光板３９の背面に対して凹んだ上下方向に走る凹溝であって、左右方向に複数本列設されている。各拡散溝４０は、それぞれ左右方向において対称であって開口側が広く導光板２５から離れるほど狭くなる形状に形成されている。本実施形態では、隣接する拡散溝４０のピッチは０．１ｍｍに設定されている。また、各拡散溝４０の深さは０．０１ｍｍに設定されている。
【００３６】
このように、透光板３９の背面に拡散溝４０が設けられることによって、透光板３９の背面側から透光板３９内に導入される光は、拡散溝４０が設けられた部位において左右方向に拡散されることになる。詳しく説明すると、透光板３９において拡散溝４０が設けられた部位に入射した光は左右いずれかに屈折し、透光板３９の前面からは左右方向に拡散された光が出射されることになる。
【００３７】
一方、保持枠３８の左右両端部にはそれぞれ、後方に突出し先端部が互いに離れる向きに延長された取付爪４１が設けられている。導光板２５の左右両側方に設けた側壁２６には、互いに対向する面において取付爪４１の先端部を後方へと案内する案内溝４２（図１（ａ）参照）が形成されている。案内溝４２の後端部は上方に延長されており、案内溝４２に沿って取付爪４１を両側壁２６間に挿入した状態で保持枠３８を図８のように上方にスライドさせることにより、取付爪４１が案内溝４２に沿って上方に移動して前後方向における抜け止めが為され、保持枠３８が筐体４に取り付けられる。
【００３８】
ここで、上下方向において保持枠３８を固定するために、図９に示すように、保持枠３８を上方にスライドさせる際に取付爪４１の先端部が乗り越える形になる引掛突起４３を案内溝４２内に形成することが考えられるが、この構成では、引掛突起４３をアンダーカット成形するための加工穴４４がカバー５の前面における引掛突起４３の周囲に残ってしまう。この加工穴４４はプリズムカバー２８を筐体４に取り付けても見えることがあり、加工穴４４が正面から見えると足元灯の見映えが悪くなる。しかも、図９の構成では、取付爪４１の先端部が引掛突起４４を乗り越えるときに取付爪４１の先端部に応力集中が生じるから、保持枠３８をアクリル樹脂などの割れ易い材質にすると取付爪４１が割れることもある。したがって、本実施形態では図９の構成は採用しない。なお、図９においては、取付爪４１の先端部が引掛突起４４を乗り越え易い形状に形成されており、かつ、取付爪４１だけで前後左右すべての方向における保持枠３８の移動を禁止するので、十分な強度を確保するために取付爪４１が保持枠３８の左右各端部にそれぞれ２個ずつ設けられている。
【００３９】
本実施形態では、上下方向において保持枠３８を固定するために、図１０（ａ）に示すように、保持枠３８の下端部から後方に突出する取付リブ４５を設けるとともに、図１０（ｂ）に示すように、筐体４に保持枠３８が取り付けられた状態で取付リブ４５が嵌り込む取付溝４６をカバー５に形成してある。この構成によれば、取付リブ４５が取付溝４６に嵌り込むことにより上下方向において保持枠３８が固定されるので、案内溝４２内に取付爪４１の先端部を引っ掛ける構造（引掛突起４３）を形成する必要はなく、上述したように引掛突起４３を成形するための加工穴４４が生じることはない。その結果、プリズムカバー２８を筐体４に取り付けた状態での見映えが上述した図９に示す構成に比べて良くなる。ただし、本実施形態でも、案内溝４２をアンダーカット成形するために、引掛突起４３を形成する場合よりも小さく正面からほぼ見えない大きさの加工穴は生じる。図１０（ｃ）には取付爪４１の先端部の形状を示す。
【００４０】
さらに、取付リブ４５を採用した本実施形態の構成では、保持枠３８を上方にスライドさせて取付リブ４５を取付溝４６に嵌める際に、取付リブ４５に作用する応力がプリズムカバー２８全体が撓むことにより分散されるので、上述した図９に示す構成のように応力集中が生じて割れることはない。つまり、取付リブ４５を採用したことによって保持枠３８と透光板３９との両方の材質をアクリル樹脂にすることができ、本実施形態では、保持枠３８と透光板３９とをアクリル樹脂から一体成形している。
【００４１】
また、従来から足元灯に用いている導光板２５は一般的に、無色透明であってかつ左右対称の形状を採用しているから、導光板２５を筐体４に組み合わせる際に、導光板２５の向きが分かり難く筐体４に対して導光板２５を逆組みすることがある。導光板２５を逆組みすると、出射面３０から光が出射されるように光を導光することができず、足元灯としての機能を果たせなくなる。そこで、本実施形態では、導光板２５の逆組みを防止するために、以下に説明する構成を採用している。
【００４２】
導光板２５は、図１１に示すように、上端部が発光源収納室１４内に隠れるように配置される。つまり、導光板２５の上端部が発光源収納室１４に挿入される形になる。ここにおいて、導光板２５における左上の角部に、後方に凹む逆組防止凹部４７が形成され、発光源収納室１４の内周面に、導光板２５の上端部が発光源収納室１４に挿入された状態で逆組防止凹部４７に挿入される逆組防止突起４８が突設される。この構成によれば、逆組防止突起４８が逆組防止凹部４７に挿入される正しい向きにしか導光板２５を配置できないので、導光板２５が逆組みされることはなくなる。ただし、逆組防止凹部４７は、導光板２５に導入される光量を低減することがないように、図１２に示すように、導光板２５における光を導入する部位を避けて設けられている。図１２では、矢印で導光を表している。
【００４３】
導光板２５側に逆組防止突起４８を設け、筐体４側に逆組防止凹部４７を設けることにより導光板２５の逆組みを防止してもよく、この場合に、図１３に示すように、導光板２５を成形する際に生じるゲート跡を逆組防止突起４８として利用してもよい。さらに、図１４に示すように、導光板において発光源収納室１４内に隠れる部位に、ホットスタンプ等のマーク４９を設けることにより、導光板２５や筐体４の形状を変更することなく、導光板２５の向きを分かり易くして逆組みを防止する構成としてもよい。
【００４４】
また、本実施形態では両側壁２６と導光板２５との隙間は、図１１（ａ）に示すように、各側壁２６からそれぞれ導光板２５に向かって突出した仮固定リブ５０によって埋められており、導光板２５が左右方向において位置決めされる。したがって、足元灯を組み立てる際に、筐体４に対して導光板２５の位置決めをしてからプリズムカバー２８を取り付けることができ、導光板２５が所定の位置からずれてプリズムカバー２８に干渉することによりプリズムカバー２８の取付が困難になることがなく、導光板２５が位置決めされない場合に比べてプリズムカバー２８を取り付け易いという利点がある。
【００４５】
（実施形態２）
本実施形態の足元灯は、プリズムカバー２８の構成が実施形態１の足元灯と相違するが、その他の構成は実施形態１と同様であるから説明を省略する。
【００４６】
本実施形態では、図１５に示すように、保持枠３８と透光板３９とを２色成形してプリズムカバー２８を形成している。すなわち、保持枠３８と透光板３９とをそれぞれ異なる材料から成形することが可能になるので、保持枠３８と透光板３９とを一体としながらも、それぞれに適した材料を用いることができる。
【００４７】
したがって、光を透過させる材料から透光板３９を成形し、遮光性を有する材料から保持枠３８を成形することにより、導光板２５における出射面３０以外の部位からの不要な漏光を防止してもよく、あるいは、保持枠３８にはＰＢＴ（ポリブチレンテレフタレート）等の熱可塑性樹脂を用いることにより、衝撃が加わっても割れ難い保持枠３８を実現してもよい。また、保持枠３８と透光板３９とを同じ材質にして、両者の色のみを異ならせることも可能である。なお、本実施形態では、明るさセンサを有した足元灯を示したが、自動スイッチの構成に関係なく本発明を採用できることは実施形態１で説明した通りである。
【００４８】
（実施形態３）
本実施形態の足元灯は、プリズムカバー２８を筐体４に取り付ける構造が実施形態１の足元灯と相違する。
【００４９】
本実施形態の保持枠３８では、実施形態１の取付リブ４５に代えて、図１６に示すように、下端部から後方に突出し先端部が下方に延長された引掛爪５１が設けられており、実施形態１で説明した取付爪４１は省略されている。一方、筐体４のカバー５においては、実施形態１で説明した案内溝４２は省略され、保持枠３８が筐体４に取り付けられた状態で引掛爪１が引っ掛かる引掛部（図示せず）が形成されている。
【００５０】
上述した構成により、図１７に示すように、保持枠３８の上端部が発光源収納室１４内に挿入された状態で、保持枠３８の下端部を後方に押し込めば、引掛爪５１が引掛部に引っ掛かることにより保持枠３８が筐体４に取り付けられることになる。つまりプリズムカバー２８が筐体４に取り付けられることになる。プリズムカバー２８を筐体４から取り外すときは、保持枠３８の下端部を前方に引き出せば良い。
【００５１】
実施形態１で示したように保持枠３８を上下方向にスライドさせてプリズムカバー２８を筐体に着脱する構成では、使用中にプリズムカバー２８の表面に傷が付いてプリズムカバー２８のみを交換する際に、取付枠３１から足元灯を一旦取り外す必要がある（図５参照）が、本実施形態の構成では、図１８に示すように、取付枠３１に足元灯を取り付けたままでプリズムカバー２８を交換することができるという利点がある。その他の構成および機能は実施形態１と同様である。
【００５２】
なお、本実施形態では、人検知センサを有した足元灯を示したが、自動スイッチの構成に関係なく本発明を採用できることは実施形態１で説明した通りである。
【００５３】
（実施形態４）
本実施形態の足元灯は、図１９に示すように、発光装置と自動スイッチとがそれぞれ別の筐体４ａ，４ｂに収納されている点が実施形態１の足元灯と相違する。
【００５４】
ここでは、図１９（ａ）に示す筐体４ａに自動スイッチが収納され、図１９（ｂ）に示す筐体４ｂに発光装置が収納されている。筐体４ｂの前面側では、発光源収納室１４とプリズムカバー２８とが上下に並んでいる。筐体４ａと筐体４ｂとはそれぞれ、１個モジュール寸法に形成されており、埋込型の配線器具の３個用の取付枠３１に３個まで取付可能である。この足元灯では、自動スイッチを発光装置への給電経路に挿入する形に接続することによって、センサ部２の検出結果に応じて発光源１を自動で点灯させることができる。
【００５５】
本実施形態の構成によれば、センサ部２と出射面３０との配置を任意に入れ替えて取り付けることが可能であるから、センサ部２の検知領域や出射面３０からの光の照射領域を容易に変更できる。しかも、各筐体４ａ，４ｂはそれぞれ１個モジュール寸法であるから、３個用の取付枠３１に対して足元灯を他の１個モジュール寸法の配線器具と一緒に取り付けることが可能であって、この場合に、前記他の配線器具といずれかの筐体４ａ，４ｂの位置を目的等に応じて任意に入れ替えることもできる。
【００５６】
たとえば、前記他の配線器具をコンセントとする場合に、上から自動スイッチ、発光装置、コンセントの順に並べると、見映えが良く、かつコンセントを使用できるから利便性も良い。一方、上から自動スイッチ、コンセント、発光装置の順に並べると、コンセントを使用しているとき、つまりコンセントに機器のプラグ（図示せず）を差し込んでいるときでも、出射面３０からの光はプラグに妨げられることがなく、床面の照度を保つことができるという利点がある。
【００５７】
また、図２０に示すように、１個の自動スイッチに対して発光装置を２個接続することにより、発光装置を１個とした場合に比べて足元灯の点灯時の明るさを向上させても良い。さらに、１個の自動スイッチに接続する発光装置は１個のままであっても、図２１に示すように、発光装置の下方に、導光板２５と拡散反射板２７とプリズムカバー２８とが設けられた筐体４ｃを取り付け、発光装置からの光を下方の筐体４ｃに設けた導光板２５に導入することにより、光が出射される面積を大きくして床面の照度を向上する構成を採用しても良い。図２１の構成では、発光装置が収納された筐体４ｂを縦に並べて２個配置する構成に比べて見映えが良いという利点がある。その他の構成および機能は実施形態１と同様である。
【００５８】
なお、図２０，２１（ａ）では、足元灯の前面の周囲を包囲する枠状の化粧プレート５２、および化粧プレート５２の開口部と足元灯の前面との隙間を覆う化粧カバー５３が取付枠３１に取り付けられている。本実施形態では、人検知センサを有した足元灯を示したが、自動スイッチの構成に関係なく本発明を採用できることは実施形態１で説明した通りである。
【００５９】
（実施形態５）
本実施形態の足元灯は、図２２に示すように、実施形態１の足元灯における切換スイッチ３５（図６参照）に押し釦スイッチを採用した点が実施形態１とは異なる。切換スイッチ３５は、筐体４の前面とほぼ面一になるように設けられている。
【００６０】
切換スイッチ３５（またはハンドル３６）が筐体４の前面から突出していると、人の足などが切換スイッチ３５（またはハンドル３６）に引っ掛かって切換スイッチ３５が誤操作されてしまうことがあるが、本実施形態では、切換スイッチ３５を筐体４の前面とほぼ面一に設けることにより足などが切換スイッチ３５に引っ掛かることはなく切換スイッチ３５の誤操作が防止される。
【００６１】
なお、本実施形態では明るさセンサを有した足元灯を示したが、人検知センサを有した足元灯であっても、動作状態を切り換える切換スイッチを設けて本実施形態の構成を採用することはできる。
【００６２】
（実施形態６）
本実施形態の足元灯は、図２３に示すように、プリズムカバー２８における透光板３９の前面に文字等を象った表示パターン５４が設けられたものであって、その他の構成および機能は実施形態１の足元灯と同様である。図２３では、表示パターン５４は文字「Ａ」を象っている。表示パターン５４は、導光板２５の出射面３０から出射されて透光板３９を透過した光の一部を遮るものであって、透光板３９の前面に印刷されていてもよく、また、透光板３９の前面に貼り付けられていてもよい。
【００６３】
この構成によれば、床面上における足元灯の照射領域Ｘのうち、表示パターン５４に対応する部分の照度が他の部位より低くなる。すなわち、足元灯が照射する床面上に、表示パターン５４の形状（図２３では文字「Ａ」）が投影されることになる。本実施形態では、導光板２５を用いて配光を床面に向けて制御し、かつ透光板３９により光を左右方向に拡散しているので、照射領域Ｘに投影される影は比較的きれいにかつ大きく表示される。
【００６４】
なお、本実施形態では、明るさセンサを有した足元灯を示したが、自動スイッチの構成に関係なく本発明を採用できることは実施形態１で説明した通りである。
【００６５】
（実施形態７）
本実施形態の足元灯は、実施形態１の足元灯において、取付枠３１に筐体４を取り付けるための保持爪３３を省略し、図２４に示すように、コンセント（図示せず）に差込可能な給電用の栓刃５５を筐体４の背面側に設けたものである。本実施形態では、栓刃５５を回転させることにより筐体４内に栓刃５５を収納可能な構成を採用している。
【００６６】
上述した構成によれば、コンセントが設けられている所であれば場所を選ばずに足元灯を取り付けて使用することができる。しかも、足元灯をコンセントに対して簡単に着脱することができるので、足元灯の設置場所の変更も容易に行うことができる。
【００６７】
また、実施形態１の足元灯において保持爪３３を省略せずに栓刃５５を設けた構成とすることにより、取付枠３１に筐体４を取り付ける埋込型と、コンセントに栓刃５５を差し込む外付型とのいずれの形態でも使用可能な足元灯を実現することもできる。この場合には、足元灯への給電は、栓刃５５と端子部３との少なくとも一方から為される。その他の構成および機能は実施形態１と同様である。
【００６８】
なお、本実施形態では、明るさセンサを有した足元灯を示したが、自動スイッチの構成に関係なく本発明を採用できることは実施形態１で説明した通りである。
【００６９】
（実施形態８）
本実施形態の足元灯は、出射面３０から出射される光の色を調節できるようにした点が実施形態７の足元灯と相違する。本実施形態では、明るさセンサを有した足元灯を例示する。
【００７０】
筐体４の前面において、実施形態１では切換スイッチ３５に取着されたハンドル３６が露出する部位に、図２５に示すように、本実施形態では操作部としてのボリューム５６（図２６参照）に取着されたつまみ５７が突出する。本実施形態は、つまみ５７を回してボリューム５６を操作することにより光の色を変化させるものであって、具体的な構成について以下に説明する。
【００７１】
基台１１に設けられる６個のベアチップ１２，１３には、発光色が異なる２種類のベアチップ１２，１３を用いており、発光色が異なるベアチップ１２，１３同士を互いに近接配置している（図２（ｂ）参照）。この構成では、出射面３０から出射される光は２種類のベアチップ１２，１３からの光の混合色になるので、ここにおいて、各種類のベアチップ１２，１３に流す電流の比を変化させることによって、出射面３０から出射される光の色を変化させることができる。
【００７２】
本実施形態では、図２６に示すように、各種類のベアチップ（図ではＬＥＤと示す）１２，１３に流す電流をそれぞれ調節可能なように電流源５８を２個有した点灯回路５９と、各種類のベアチップ１２，１３に流す電流の比をボリューム５６の操作量に応じて変化させる調色回路６０とが、操作部としてのボリューム５６とともに発光装置に備わっている。調色回路６０は、ボリューム５６の操作量に応じた電圧とそれぞれ所定の電圧との差をとる差分回路６１を１組備えており、両差分回路６１の出力の和が常に一定の値をとるように構成されている。したがって、点灯回路５９は、各電流源５８から各種類のベアチップに流す電流の比をボリューム５６の操作量に応じて変化させながらも、両電流源５８からベアチップ１２，１３に流す電流の和を一定にして、出射面３０から出射される光量をほぼ一定に維持する。
【００７３】
上述した構成によれば、筐体４の前面側に設けたつまみ５７を回すだけで出射面３０から出射される光の色を変化させることができるので、足元灯を壁面に取り付けたままで光の色を変化させることができ、使用者が光の色を容易に調節することができるという利点がある。その他の構成および機能は実施形態７と同様である。
【００７４】
なお、上述した構成は、実施形態１のように、筐体４を取付枠３１に取り付けるための保持爪３３を設けた埋込型の足元灯に採用することもできる。また、本実施形態では、明るさセンサを有した足元灯を示したが、自動スイッチの構成に関係なく本発明を採用できることは実施形態１で説明した通りである。
【図面の簡単な説明】
【００７５】
【図１】本発明の実施形態１を示し、（ａ）は分解斜視図、（ｂ）はプリズムカバーの斜視図、（ｃ）は要部の斜視図である。
【図２】同上の発光源収納室を示し、（ａ）は斜視図、（ｂ）は要部の斜視図、（ｃ）は要部の側面図である。
【図３】同上の発光源収納室を示し、（ａ）は斜視図、（ｂ）は要部の斜視図、（ｃ）は要部の側面図である。
【図４】同上のカバーを外した状態を示す側面図である。
【図５】同上の足元灯の取付枠への取り付け方の説明図である。
【図６】同上の足元灯を示す分解斜視図である。
【図７】同上の足元灯を示す斜視図である。
【図８】同上の足元灯を示す斜視図である。
【図９】同上の説明に用いる他の足元灯を示し、（ａ）は分解斜視図、（ｂ）はプリズムカバーおよび導光板を外した状態の正面図、（ｃ）は要部の平面図である。
【図１０】同上の構成を示し、（ａ）はプリズムカバーの側面図、（ｂ）はプリズムカバーおよび導光板を外した状態の正面図、（ｃ）は要部の平面図である。
【図１１】同上の要部を示し、（ａ）は正面図、（ｂ）は下面図、（ｃ）は斜視図である。
【図１２】同上の導光板を示す平面図である。
【図１３】同上の足元灯を示し、（ａ）は要部の斜視図、（ｂ）は斜視図である。
【図１４】同上の足元灯を示し、（ａ）は要部の斜視図、（ｂ）は斜視図である。
【図１５】本発明の実施形態２を示す分解斜視図である。
【図１６】本発明の実施形態３のプリズムカバーを示し、（ａ）は斜視図、（ｂ）は要部の側面図である。
【図１７】同上の足元灯を示し、（ａ）は分解斜視図、（ｂ）は斜視図である。
【図１８】同上の足元灯を取付枠に取り付けた状態を示す斜視図である。
【図１９】本発明の実施形態４を示し、（ａ）は自動スイッチを備えた部分の斜視図、（ｂ）は発光装置を備えた部分の斜視図である。
【図２０】同上の取付状態を示す斜視図である。
【図２１】同上の構成を示し、（ａ）は取付状態の斜視図、（ｂ）は発光装置を備えた部分の斜視図、（ｃ）はプリズムカバーを備えた部分の斜視図である。
【図２２】本発明の実施形態５を示す斜視図である。
【図２３】本発明の実施形態６を示す斜視図である。
【図２４】本発明の実施形態７を示す斜視図である。
【図２５】本発明の実施形態８を示す斜視図である。
【図２６】同上の発光装置の構成を示すブロック図である。
【図２７】従来例を示し、（ａ）は分解斜視図、（ｂ）は斜視図である。
【符号の説明】
【００７６】
１  発光源
２  センサ部
４，４ａ，４ｂ  筐体
１２，１３  ベアチップ
２５  導光板
３０  出射面
３１  取付枠
３８  保持枠
３９  透光板
５５  栓刃
５６  ボリューム（操作部）
５９  点灯回路
６０  調色回路
【図１】
2006228624.tif 000003
【図２】
2006228624.tif 000004
【図３】
2006228624.tif 000005
【図４】
2006228624.tif 000006
【図５】
2006228624.tif 000007
【図６】
2006228624.tif 000008
【図７】
2006228624.tif 000009
【図８】
2006228624.tif 000010
【図９】
2006228624.tif 000011
【図１０】
2006228624.tif 000012
【図１１】
2006228624.tif 000013
【図１２】
2006228624.tif 000014
【図１３】
2006228624.tif 000015
【図１４】
2006228624.tif 000016
【図１５】
2006228624.tif 000017
【図１６】
2006228624.tif 000018
【図１７】
2006228624.tif 000019
【図１８】
2006228624.tif 000020
【図１９】
2006228624.tif 000021
【図２０】
2006228624.tif 000022
【図２１】
2006228624.tif 000023
【図２２】
2006228624.tif 000024
【図２３】
2006228624.tif 000025
【図２４】
2006228624.tif 000026
【図２５】
2006228624.tif 000027
【図２６】
2006228624.tif 000028
【図２７】
2006228624.tif 000029